【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列された複数のリールと、
前記複数のリールの停止契機となる操作を行うための操作手段と、
入賞に伴って遊技媒体の払い出しが行われる複数種類の小役の当否を決定する内部抽選を行う抽選手段と、
前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、
前記内部抽選で当選した小役の入賞形態を示す図柄組合せが有効ライン上に表示されたことに基づいて当該小役の入賞が確定する遊技機であって、
前記抽選手段が、
前記複数種類の小役に関して、特定の小役と他の小役とが重複当選する結果を含む複数種類の当選結果が存在するように前記他の小役の当否を決定し、かつ前記他の小役は単独当選するが、前記特定の小役は単独当選しないように前記内部抽選を行っており、
前記複数種類の小役のそれぞれに対して優先順位が設定されているとともに、前記特定の小役は、前記他の小役より優先順位が低く設定されており、
前記リール制御手段が、
前記内部抽選で２種類以上の小役が重複当選した場合には、前記優先順位の高い小役の入賞形態を示す図柄組合せを前記優先順位の低い小役の入賞形態を示す図柄組合せに優先して有効ライン上に表示するように前記複数のリールを停止させる制御を行うことを特徴とする遊技機。
【請求項２】
請求項１において、
前記リール制御手段が、
前記リールの外周面に配列されている複数種類の図柄のうち前記内部抽選で当選した役を構成する図柄が、前記操作手段に対する停止操作が行われた時点で有効ライン上の停止位置に対して所定の範囲内に配列されている場合に、当該内部抽選で当選した役を構成する図柄を有効ライン上に表示させるように前記リールを停止させる制御を行い、
前記複数のリールのうち少なくとも１つのリールの外周面において、前記特定の小役を構成する図柄と、前記他の小役を構成する図柄とが前記所定の範囲内に配列されていることを特徴とする遊技機。
【請求項３】
請求項１または２において、
前記リール制御手段が、前記内部抽選で前記他の小役に当選した場合には、前記操作手段に対する停止操作の態様に関わらず前記他の小役の入賞形態を示す図柄組合せを有効ライン上に表示するように前記リールを停止させる制御を行うことを特徴とする遊技機。
【請求項４】
外周面に複数種類の図柄が配列された複数のリールと、
前記複数のリールの停止契機となる操作を行うために、前記複数のリールのそれぞれに対応付けられた複数の操作手段と、
入賞に伴って遊技媒体の払い出しが行われる複数種類の小役の当否を決定する内部抽選を行う抽選手段と、
前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、
前記内部抽選で当選した小役の入賞形態を示す図柄組合せが有効ライン上に表示されたことに基づいて当該小役の入賞が確定する遊技機であって、
前記抽選手段が、
前記複数種類の小役に関して、特定の小役と他の小役とが重複当選する結果を含む複数種類の当選結果が存在するように前記他の小役の当否を決定し、かつ、前記他の小役が単独当選するように前記内部抽選を行っており、
前記複数種類の小役のそれぞれに対して優先順位が設定されているとともに、前記特定の小役は、前記他の小役より優先順位が低く設定されており、
前記リール制御手段が、
前記内部抽選で前記特定の小役と前記他の小役とが重複当選し、かつ特定の操作順序で複数の前記操作手段の操作を行った場合に、前記他の小役の入賞形態を表す図柄組み合わせを前記特定の小役に優先して有効ライン上に表示するように前記リールを停止させることを特徴とする遊技機。
【請求項５】
外周面に複数種類の図柄が配列された複数のリールと、
前記複数のリールの停止契機となる操作を行うための操作手段と、
入賞に伴って遊技媒体の払い出しが行われる複数種類の小役の当否を決定する内部抽選を行う抽選手段と、
前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、
前記内部抽選で当選した小役の入賞形態を示す図柄組合せが有効ライン上に表示されたことに基づいて当該小役の入賞が確定する遊技機であって、
前記抽選手段が、
前記複数種類の小役に関して、特定の小役と他の小役とが重複当選する結果を含む複数種類の当選結果が存在するように前記他の小役の当否を決定し、かつ、前記他の小役が単独当選するように前記内部抽選を行っており、
前記複数種類の小役のそれぞれに対して優先順位が設定されているとともに、前記特定の小役は、前記他の小役より優先順位が低く設定されており、
前記リール制御手段が、
前記内部抽選で２種類以上の小役が重複当選した場合には、前記優先順位の高い小役の入賞形態を示す図柄組合せを前記優先順位の低い小役の入賞形態を示す図柄組合せに優先して有効ライン上に表示するように前記複数のリールを停止させる制御を行うことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００６
【補正方法】変更
【補正の内容】
【０００６】
（１）本発明は、外周面に複数種類の図柄が配列された複数のリールと、前記複数のリールの停止契機となる操作を行うための操作手段と、入賞に伴って遊技媒体の払い出しが行われる複数種類の小役の当否を決定する内部抽選を行う抽選手段と、前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、前記内部抽選で当選した小役の入賞形態を示す図柄組合せが有効ライン上に表示されたことに基づいて当該小役の入賞が確定する遊技機であって、前記抽選手段が、前記複数種類の小役に関して、特定の小役と他の小役とが重複当選する結果を含む複数種類の当選結果が存在するように前記他の小役の当否を決定し、かつ前記他の小役は単独当選するが、前記特定の小役は単独当選しないように前記内部抽選を行っており、前記複数種類の小役のそれぞれに対して優先順位が設定されているとともに、前記特定の小役は、前記他の小役より優先順位が低く設定されており、前記リール制御手段が、前記内部抽選で２種類以上の小役が重複当選した場合には、前記優先順位の高い小役の入賞形態を示す図柄組合せを前記優先順位の低い小役の入賞形態を示す図柄組合せに優先して有効ライン上に表示するように前記複数のリールを停止させる遊技機に関するものである。
【手続補正４】
【補正対象書類名】明細書
【補正対象項目名】００１２
【補正方法】変更
【補正の内容】
【００１２】
（４）また本発明は、外周面に複数種類の図柄が配列された複数のリールと、前記複数のリールの停止契機となる操作を行うために、前記複数のリールのそれぞれに対応付けられた複数の操作手段と、入賞に伴って遊技媒体の払い出しが行われる複数種類の小役の当否を決定する内部抽選を行う抽選手段と、前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、前記内部抽選で当選した小役の入賞形態を示す図柄組合せが有効ライン上に表示されたことに基づいて当該小役の入賞が確定する遊技機であって、前記抽選手段が、前記複数種類の小役に関して、特定の小役と他の小役とが重複当選する結果を含む複数種類の当選結果が存在するように前記他の小役の当否を決定し、かつ、前記他の小役が単独当選するように前記内部抽選を行っており、前記複数種類の小役のそれぞれに対して優先順位が設定されているとともに、前記特定の小役は、前記他の小役より優先順位が低く設定されており、前記リール制御手段が、前記内部抽選で前記特定の小役と前記他の小役とが重複当選し、かつ特定の操作順序で複数の前記操作手段の操作を行った場合に、前記他の小役の入賞形態を表す図柄組み合わせを前記特定の小役に優先して有効ライン上に表示するように前記リールを停止させる遊技機に関するものである。
【手続補正５】
【補正対象書類名】明細書
【補正対象項目名】００１３
【補正方法】変更
【補正の内容】
【００１３】
（５）また本発明は、外周面に複数種類の図柄が配列された複数のリールと、前記複数のリールの停止契機となる操作を行うための操作手段と、入賞に伴って遊技媒体の払い出しが行われる複数種類の小役の当否を決定する内部抽選を行う抽選手段と、前記操作手段への停止操作の態様と前記内部抽選の結果とに基づいて前記リールの停止位置を決定し、前記停止操作の態様と前記内部抽選の結果との組合せが同一である場合には、同一の停止位置で回転中の前記リールを停止させる制御を行うリール制御手段とを備え、前記内部抽選で当選した小役の入賞形態を示す図柄組合せが有効ライン上に表示されたことに基づいて当該小役の入賞が確定する遊技機であって、前記抽選手段が、前記複数種類の小役に関して、特定の小役と他の小役とが重複当選する結果を含む複数種類の当選結果が存在するように前記他の小役の当否を決定し、かつ、前記他の小役が単独当選するように前記内部抽選を行っており、前記複数種類の小役のそれぞれに対して優先順位が設定されているとともに、前記特定の小役は、前記他の小役より優先順位が低く設定されており、前記リール制御手段が、前記内部抽選で２種類以上の小役が重複当選した場合には、前記優先順位の高い小役の入賞形態を示す図柄組合せを前記優先順位の低い小役の入賞形態を示す図柄組合せに優先して有効ライン上に表示するように前記複数のリールを停止させる制御を行う遊技機に関するものである。
【手続補正６】
【補正対象書類名】明細書
【補正対象項目名】００１４
【補正方法】変更
【補正の内容】
【００１４】
なお、上記（４）あるいは（５）では、上記（２）または（３）に示す各態様を適宜採用することができる。